(57)【要約】【課題】ステルスアクセスポイントを検出するために、端末が無駄なプローブ要求を送信しないようにすることができる端末等を提供する。【解決手段】ネットワーク識別子を報知する通常アクセスポイントと、ネットワーク識別子を報知しないステルスアクセスポイントと通信可能な端末に関する。端末は、アクセスポイント毎に、通常アクセスポイントか又はステルスアクセスポイントかを表すアクセスポイント情報を蓄積するアクセスポイント情報蓄積部１０３と、ビーコン信号を傾聴して検出するビーコン信号検出部１０１と、プローブ要求を送信するプローブ要求送信部１０５と、通常アクセスポイントに対してはビーコン信号検出部１０１によってビーコン信号を検出し、ステルスアクセスポイントに対してはプローブ要求送信部１０５によってプローブ要求を送信するように制御するアクセスポイント発見制御部１０２とを有する。【選択図】図２
2007274252.tif 000002
【特許請求の範囲】
【請求項１】
ネットワーク識別子を報知する通常アクセスポイントと、ネットワーク識別子を報知しないステルスアクセスポイントと通信可能な端末であって、
アクセスポイント毎に、通常アクセスポイントか又はステルスアクセスポイントかを表すアクセスポイント情報を蓄積するアクセスポイント情報蓄積手段と、
ネットワーク識別子を含むビーコン信号を傾聴して検出するビーコン信号検出手段と、
ネットワーク識別子を含むプローブ要求を送信するプローブ要求送信手段と、
前記通常アクセスポイントに対しては前記ビーコン信号検出手段によってビーコン信号を検出し、前記ステルスアクセスポイントに対しては前記プローブ要求送信手段によってプローブ要求を送信するように制御するアクセスポイント発見制御手段と
を有することを特徴とする端末。
【請求項２】
現在位置を測定する測位手段を更に有し、
前記アクセスポイント情報蓄積手段は、アクセスポイント毎のアクセスポイント情報に、位置範囲情報を含んでおり、
前記アクセスポイント発見制御手段は、前記当該端末の現在位置が前記位置範囲情報に含まれるステルスアクセスポイントに対してのみ、前記プローブ要求送信手段によってプローブ要求を送信するように制御する
ことを特徴とする請求項１に記載の端末。
【請求項３】
前記プローブ要求送信手段は、通常のプローブ要求の送信間隔よりも短い時間間隔で、複数のプローブ要求を連続的に送信することを特徴とする請求項１又は２に記載の端末。
【請求項４】
請求項１から３のいずれか１項に記載の端末と、該端末へデータを送信可能な放送局装置とを有するシステムであって、
前記放送局装置は、アクセスポイント毎に、通常アクセスポイントか又はステルスアクセスポイントかを表すアクセスポイント情報を放送し、
前記端末は、受信した前記アクセスポイント情報を、前記アクセスポイント情報蓄積手段に蓄積する
ことを特徴とするシステム。
【請求項５】
ネットワーク識別子を報知する通常アクセスポイントと、ネットワーク識別子を報知しないステルスアクセスポイントと通信可能な端末に搭載されたコンピュータを機能させるプログラムであって、
アクセスポイント毎に、通常アクセスポイントか又はステルスアクセスポイントかを表すアクセスポイント情報を蓄積するアクセスポイント情報蓄積手段と、
ネットワーク識別子を含むビーコン信号を傾聴して検出するビーコン信号検出手段と、
ネットワーク識別子を含むプローブ要求を送信するプローブ要求送信手段と、
前記通常アクセスポイントに対しては前記ビーコン信号検出手段によってビーコン信号を検出し、前記ステルスアクセスポイントに対しては前記プローブ要求送信手段によってプローブ要求を送信するように制御するアクセスポイント発見制御手段と
してコンピュータを機能させることを特徴とする端末用のプログラム。
【請求項６】
現在位置を測定する測位手段として更に機能させ、
前記アクセスポイント情報蓄積手段は、アクセスポイント毎のアクセスポイント情報に、位置範囲情報を含んでおり、
前記アクセスポイント発見制御手段は、当該端末の現在位置が前記位置範囲情報に含まれるステルスアクセスポイントに対してのみ、前記プローブ要求送信手段によってプローブ要求を送信するように制御する
ようにコンピュータを機能させることを特徴とする請求項５に記載の端末用のプログラム。
【請求項７】
前記プローブ要求送信手段は、通常のプローブ要求の送信間隔よりも短い時間間隔で、複数のプローブ要求を連続的に送信するようにコンピュータを機能させることを特徴とする請求項５又は６に記載の端末用のプログラム。
【請求項８】
ネットワーク識別子を報知する通常アクセスポイントと、ネットワーク識別子を報知しないステルスアクセスポイントと通信可能な端末におけるアクセスポイント発見方法であって、
アクセスポイント毎に、通常アクセスポイントか又はステルスアクセスポイントかを表すアクセスポイント情報を蓄積するアクセスポイント情報蓄積部を有し、
前記通常アクセスポイントに対しては、ネットワーク識別子を含むビーコン信号を傾聴して検出し、
前記ステルスアクセスポイントに対しては、ネットワーク識別子を含むプローブ要求を送信する
ことを特徴とするアクセスポイント発見方法。
【請求項９】
前記アクセスポイント情報蓄積部は、アクセスポイント毎のアクセスポイント情報に、位置範囲情報を含んでおり、
当該端末の現在位置が前記位置範囲情報に含まれるステルスアクセスポイントに対してのみ、前記プローブ要求送信手段によってプローブ要求を送信する
ことを特徴とする請求項８に記載のアクセスポイント発見方法。
【請求項１０】
前記プローブ要求は、通常のプローブ要求の送信間隔よりも短い時間間隔で、複数のプローブ要求を連続的に送信されることを特徴とする請求項８又は９に記載のアクセスポイント発見方法。
【発明の詳細な説明】
【技術分野】
【０００１】
本発明は、ステルスアクセスポイントと通信する端末、プログラム及びアクセスポイント発見方法に関する。
【背景技術】
【０００２】
無線ＬＡＮには、アクセスポイントと端末との間でパケット送信を制御するためにＭＡＣ（Medium Access Control：媒体アクセス制御）レイヤ技術がある。ＭＡＣレイヤによって無線局間で交換されるＭＡＣフレームは、例えばＩＥＥＥ８０２．１１の標準規格によって規定されている。
【０００３】
図１は、従来技術における端末とアクセスポイントとの間のシーケンスを表すシステム構成図である。
【０００４】
ＩＥＥＥ８０２．１１のインフラストラクチャモードの場合、アクセスポイントは、周辺の端末に対し、ネットワーク識別子であるＥＳＳＩＤ(Extended Service Set Identifier、拡張サービスセット識別子)を含むビーコン信号を、定期的（１００ｍｓ程度毎）に送信する。ビーコン信号を受信した端末は、そのＥＳＳＩＤを用いて、アクセスポイントに対して接続することができる。このように、端末は、周囲に存在するアクセスポイント（ネットワーク識別子）を容易に発見することができる。これは、一方で、全ての端末が、そのネットワーク識別子を発見することができることを意味する。
【０００５】
近年、セキュリティ確保の観点から、ステルスアクセスポイントを利用する場合が増えてきている。「ステルスアクセスポイント」とは、ＥＳＳＩＤのようなネットワーク識別子を報知しないアクセスポイントをいう。ＥＳＳＩＤを報知しないようにするために、ビーコン信号を停止する場合と、ＥＳＳＩＤを含まないビーコン信号を報知する場合とがある。ステルスアクセスポイントを用いた場合、ネットワークの存在を周囲に容易に検知されないようにすることができる。端末は、ステルスアクセスポイントに接続するために、そのステルスアクセスポイントのＥＳＳＩＤを知る必要がある。
【０００６】
端末は、ステルスアクセスポイントを発見するために、そのステルスアクセスポイントのＥＳＳＩＤを含むプローブ要求を送信する。周囲に存在する全てのアクセスポイントを発見しようとする場合には、端末は、プローブ要求にＥＳＳＩＤ＝ａｎｙを含める。
【０００７】
ステルスアクセスポイントは、受信したプローブ要求に含まれるＥＳＳＩＤが自らのＥＳＳＩＤと一致するか否かを判定する。一致する場合、ステルスアクセスポイントは、ＥＳＳＩＤを含むプローブ応答を端末へ返信する。尚、ＥＳＳＩＤ＝ａｎｙのプローブ要求を受信した場合、ステルスアクセスポイントは、端末へプローブ応答を返信しない。
【０００８】
また、従来技術として、端末が、アプリケーションに応じて接続するアクセスポイントを適宜変更する技術がある（例えば非特許文献１参照）。この技術によれば、特定の基地局が、その位置範囲に応じたアクセスポイント情報を放送する。このアクセスポイント情報を受信した端末は、現在位置に応じて、サーチするアクセスポイントを決定することができる。
【０００９】
【非特許文献１】WenhuiZhang, Jurgen Juhnert, Klaus Dolzer、「Design and Evaluation of A Handover DecisionStrategy for 4th Generation Mobile Networks」、IEEE VTC、April 2003、Jeju、Korea
【発明の開示】
【発明が解決しようとする課題】
【００１０】
従来技術によれば、端末は、そのアクセスポイントが通常アクセスポイントか又はステルスアクセスポイントかを認識していない。従って、端末は、アクセスポイント（ネットワーク識別子）からのビーコン信号を傾聴すると共に、予め登録された全てのアクセスポイントへ、プローブ要求を定期的に報知する必要がある。
【００１１】
従来技術によれば、端末には、アクセスポイントのステルス有無について設定されていない。即ち、端末は、そのステルスアクセスポイントと通信不可能な位置に存在する場合であっても、予め登録された全てのアクセスポイントへプローブ要求を定期的に報知すると共に、受信周波数も変更する。このような動作は、無線リソースの浪費となるだけでなく、端末における消費電力の浪費にもつながる。今後、セキュリティの観点から、ステルスアクセスポイントが多数配置された場合、多くのステルスアクセスポイントを発見しなければならず、送信パケット数も増大する。
【００１２】
そこで、本発明は、ステルスアクセスポイントを検出するために、端末が無駄なプローブ要求を送信しないようにすることができる端末、プログラム及びアクセスポイント発見方法を提供することを目的とする。
【課題を解決するための手段】
【００１３】
本発明によれば、ネットワーク識別子を報知する通常アクセスポイントと、ネットワーク識別子を報知しないステルスアクセスポイントと通信可能な端末であって、
アクセスポイント毎に、通常アクセスポイントか又はステルスアクセスポイントかを表すアクセスポイント情報を蓄積するアクセスポイント情報蓄積手段と、
ネットワーク識別子を含むビーコン信号を傾聴して検出するビーコン信号検出手段と、
ネットワーク識別子を含むプローブ要求を送信するプローブ要求送信手段と、
通常アクセスポイントに対してはビーコン信号検出手段によってビーコン信号を検出し、ステルスアクセスポイントに対してはプローブ要求送信手段によってプローブ要求を送信するように制御するアクセスポイント発見制御手段と
を有することを特徴とする。
【００１４】
本発明の端末における他の実施形態によれば、
現在位置を測定する測位手段を更に有し、
アクセスポイント情報蓄積手段は、アクセスポイント毎のアクセスポイント情報に、位置範囲情報を含んでおり、
アクセスポイント発見制御手段は、当該端末の現在位置が位置範囲情報に含まれるステルスアクセスポイントに対してのみ、プローブ要求送信手段によってプローブ要求を送信するように制御することも好ましい。
【００１５】
本発明の端末における他の実施形態によれば、
プローブ要求送信手段は、通常のプローブ要求の送信間隔よりも短い時間間隔で、複数のプローブ要求を連続的に送信することも好ましい。
【００１６】
本発明によれば、前述した端末と、該端末へデータを送信可能な放送局装置とを有するシステムであって、
放送局装置は、アクセスポイント毎に、通常アクセスポイントか又はステルスアクセスポイントかを表すアクセスポイント情報を放送し、
端末は、受信したアクセスポイント情報を、アクセスポイント情報蓄積手段に蓄積することを特徴とする。
【００１７】
本発明によれば、ネットワーク識別子を報知する通常アクセスポイントと、ネットワーク識別子を報知しないステルスアクセスポイントと通信可能な端末に搭載されたコンピュータを機能させるプログラムであって、
アクセスポイント毎に、通常アクセスポイントか又はステルスアクセスポイントかを表すアクセスポイント情報を蓄積するアクセスポイント情報蓄積手段と、
ネットワーク識別子を含むビーコン信号を傾聴して検出するビーコン信号検出手段と、
ネットワーク識別子を含むプローブ要求を送信するプローブ要求送信手段と、
通常アクセスポイントに対してはビーコン信号検出手段によってビーコン信号を検出し、ステルスアクセスポイントに対してはプローブ要求送信手段によってプローブ要求を送信するように制御するアクセスポイント発見制御手段と
してコンピュータを機能させることを特徴とする。
【００１８】
本発明の端末用のプログラムにおける他の実施形態によれば、
現在位置を測定する測位手段として更に機能させ、
アクセスポイント情報蓄積手段は、アクセスポイント毎のアクセスポイント情報に、位置範囲情報を含んでおり、
アクセスポイント発見制御手段は、当該端末の現在位置が位置範囲情報に含まれるステルスアクセスポイントに対してのみ、プローブ要求送信手段によってプローブ要求を送信するように制御する
ようにコンピュータを機能させることも好ましい。
【００１９】
本発明の端末用のプログラムにおける他の実施形態によれば、
プローブ要求送信手段は、通常のプローブ要求の送信間隔よりも短い時間間隔で、複数のプローブ要求を連続的に送信するようにコンピュータを機能させることも好ましい。
【００２０】
本発明によれば、ネットワーク識別子を報知する通常アクセスポイントと、ネットワーク識別子を報知しないステルスアクセスポイントと通信可能な端末におけるアクセスポイント発見方法であって、
アクセスポイント毎に、通常アクセスポイントか又はステルスアクセスポイントかを表すアクセスポイント情報を蓄積するアクセスポイント情報蓄積部を有し、
通常アクセスポイントに対しては、ネットワーク識別子を含むビーコン信号を傾聴して検出し、
ステルスアクセスポイントに対しては、ネットワーク識別子を含むプローブ要求を送信する
ことを特徴とする。
【００２１】
本発明のアクセスポイント発見方法における他の実施形態によれば、
アクセスポイント情報蓄積部は、アクセスポイント毎のアクセスポイント情報に、位置範囲情報を含んでおり、
当該端末の現在位置が位置範囲情報に含まれるステルスアクセスポイントに対してのみ、プローブ要求送信手段によってプローブ要求を送信する
ことも好ましい。
【００２２】
本発明のアクセスポイント発見方法における他の実施形態によれば、プローブ要求は、通常のプローブ要求の送信間隔よりも短い時間間隔で、複数のプローブ要求を連続的に送信されることも好ましい。
【発明の効果】
【００２３】
本発明の端末、プログラム及びアクセスポイント発見方法によれば、ステルスアクセスポイントを発見する際に、登録された全てのＥＳＳＩＤに対してプローブ要求を送信することがなくなる。従って、端末は、ステルスアクセスポイントを発見するためのプローブ要求の送信回数を大幅に減少させることができ、ネットワークの無線リソースと、端末の消費電力とを共に減少させることができる。
【発明を実施するための最良の形態】
【００２４】
以下では、図面を用いて、本発明を実施するための最良の形態について詳細に説明する。
【００２５】
図２は、本発明におけるシステム構成図である。
【００２６】
図２によれば、端末１は、ステルスアクセスポイント２と通信可能な位置に存在する。また、端末１は、放送局（又はセルラ基地局）３から放送される周辺アクセスポイント情報を受信することもできる。
【００２７】
端末１は、ビーコン信号検出部１０１と、アクセスポイント発見制御部１０２と、アクセスポイント情報蓄積部１０３と、測位部１０４と、プローブ要求送信部１０５と、アクセスポイント接続処理部１０６と、周辺アクセスポイント情報受信部１０７とを有する。これら機能部は、端末１に搭載されたコンピュータによって実行されるプログラムによっても実現できる。
【００２８】
アクセスポイント情報蓄積部１０３は、アクセスポイント毎に、通常アクセスポイントか又はステルスアクセスポイントかを表すアクセスポイント情報を蓄積する。アクセスポイント情報蓄積部１０３は、例えば以下の表１のようなテーブルを蓄積する。
【表１】
2007274252.tif 000003
【００２９】
ＥＳＳＩＤは、アクセスポイント識別子、即ち「ネットワーク識別子」を意味する。ＥＳＳＩＤ毎に、「無線システム種別」、「周波数」及び「ＷＥＰ(Wired Equivalent Privacy)」が登録されている。本発明によれば、更に、ＥＳＳＩＤ毎に、「ステルス有無」、「優先度」及び「位置範囲情報」を含む。
【００３０】
「ステルス有無」は、そのＥＳＳＩＤのアクセスポイントが、通常ステルスアクセスポイントか又はステルスアクセスポイントかを表す。「優先度」は、端末が接続すべき優先順を表し、優先度の高いＥＳＳＩＤから順にサーチされる。「位置範囲情報」は、そのＥＳＳＩＤのアクセスポイントと通信可能な位置範囲を表す。位置範囲情報は、例えば中心点となる緯度経度と、その半径とによって表される。
【００３１】
ビーコン信号検出部１０１は、通常アクセスポイントから送信されるビーコン信号を傾聴して検出する。ビーコン信号検出部１０１は、ビーコン信号を受信した際に、その旨をアクセスポイント発見制御部１０２へ通知する。
【００３２】
ビーコン信号は、ＭＡＣフレームによって構成される。ＭＡＣフレームは、「フレーム制御」「DurationID」「宛先アドレス」「送信元アドレス」「ＢＳＳＩＤ(Basic Service Set IDentifier)」「シーケンス制御」「フレームボディ」「ＦＣＳ」から構成される。ビーコン信号は、「フレーム制御」の「タイプ」「サブタイプ」によって特定される。「タイプ＝００」はマネジメントフレームであることを意味し、「サブタイプ＝１０００」はビーコン信号であることを意味する。「ＢＳＳＩＤ」は、アクセスポイントのＭＡＣアドレスを表す。
【００３３】
ビーコン信号のメッセージボディは、以下のような「ビーコン基本情報」を含む。
・Timestamp：タイマTSFTIMERの値（μｓ単位）
・Beacon Interval：ビーコン周期（1024μｓ単位）
・Capability Information：ポーリング集中制御（ＰＣＦ）又は暗号化の有無
・ＳＳＩＤ(Service Set ID)：ＥＳＳＩＤ又はＩＢＳＳＩＤ
・Supported Rate：アクセスポイントがサポートしている無線伝送レートの一覧
【００３４】
プローブ要求送信部１０５は、ステルスアクセスポイント２へプローブ要求を送信する。プローブ要求は、発見しようとするＥＳＳＩＤを含む。ここで、プローブ要求送信部１０５は、通常のプローブ要求の送信間隔よりも短い時間間隔で、複数のプローブ要求を連続的に送信することも好ましい。例えば、連続して３回、プローブ要求を送信し、その後、一定時間だけプローブ応答を待つ。プローブ応答が受信されないならば、更にプローブ要求を送信することなく、次のアクセスポイントを発見するようにする。これにより、ステルスアクセスポイントを発見するための時間を短くすることができる。
【００３５】
アクセスポイント発見制御部１０２は、アクセスポイント情報蓄積部１０３に蓄積されたアクセスポイント情報の「ステルス有無」に基づいて、アクセスポイントを発見する手段を切り替える。通常アクセスポイントに対してはビーコン信号検出部１０１によってビーコン信号を検出する。一方、ステルスアクセスポイントに対してはプローブ要求送信部１０５によってプローブ要求を送信するように制御する。本発明によれば、端末は、ステルスアクセスポイントに対してのみプローブ要求を送信し、通常アクセスポイントに対してプローブ要求を送信することはない。このような動作は、端末がアクセスポイントを発見するための消費電力を減少させることができる。
【００３６】
ここで、アクセスポイント発見制御部１０２は、当該端末の現在位置がその位置範囲情報に含まれるステルスアクセスポイントに対してのみ、プローブ要求送信部１０５によってプローブ要求を送信するように制御する。当該端末の現在位置は、測位部１０４から取得する。また、ステルスアクセスポイントの位置範囲情報は、アクセスポイント情報蓄積部１０３から取得する。そして、アクセスポイント発見制御部１０２は、当該端末の現在位置がそのステルスアクセスポイントの位置範囲内に存在しているか否かを判定する。存在している場合、プローブ要求を送信するべく、プローブ要求送信部１０５へ指示する。これにより、端末１は、現在位置がその位置範囲情報に含まれないステルスアクセスポイントに対して、プローブ要求を送信することがない。尚、アクセスポイント発見制御部１０２は、アクセスポイント情報の優先度の高い順にアクセスポイントをサーチする。
【００３７】
測位部１０４は、現在位置を測定する。例えばＧＰＳ(Global Positioning System)のような測位機能によって、緯度経度情報を取得する。
【００３８】
アクセスポイント接続処理部１０６は、アクセスポイント発見制御部１０２によって発見されたアクセスポイント（ネットワーク識別子）に対して、接続シーケンスを処理する。ビーコン信号又はプローブ応答を受信した際に、アソシエーション要求をアクセスポイント２へ送信し、接続シーケンスを処理する。
【００３９】
周辺アクセスポイント情報受信部１０７は、放送局３から周辺アクセスポイント情報を受信する。その周辺アクセスポイント情報は、アクセスポイント情報蓄積部１０３に蓄積される。これにより、端末は、現在位置において近隣のアクセスポイントを認識することができる。
【００４０】
図２によれば、ステルスアクセスポイント２は、プローブ要求受信部２０１と、ＥＳＳＩＤ判定部２０２と、プローブ応答送信部２０３と、端末接続処理部２０４とを有する。
【００４１】
プローブ要求受信部２０１は、端末１からプローブ要求を受信する。受信したプローブ要求に含まれるＥＳＳＩＤは、ＥＳＳＩＤ判定部２０２へ通知される。
【００４２】
ＥＳＳＩＤ判定部２０２は、プローブ要求受信部２０１から通知されたＥＳＳＩＤが、当該ステルスアクセスポイント自身のＥＳＳＩＤと一致するか否かを判定する。一致する場合、その旨がプローブ応答送信部２０３へ通知される。
【００４３】
プローブ応答送信部２０３は、ＥＳＳＩＤ判定部２０２からＥＳＳＩＤが一致する旨の通知を受けた際に、プローブ応答を端末１へ送信する。プローブ応答には、ビーコン信号と同じ情報要素が含まれる。
【００４４】
端末接続処理部２０４は、端末１との間で接続シーケンスを処理する。端末１からアソシエーション要求を受信し、接続シーケンスを処理する。
【００４５】
図３は、本発明におけるシーケンス図である。
【００４６】
（Ｓ３０１）放送局（又はセルラ基地局）３が、近隣のアクセスポイントの周辺アクセスポイント情報を放送している。周辺アクセスポイント情報は、特に「ステルス有無」「位置範囲情報」「優先度」を含む。
（Ｓ３０２）端末１は、放送局３から受信した周辺アクセスポイント情報を蓄積する。
（Ｓ３０３）端末１は、アクセスポイント情報の「位置範囲情報」に基づいて、現在位置において接続可能なアクセスポイントを検索する。
（Ｓ３０４）端末１は、検索されたアクセスポイントについて「優先度」順を決定する。
【００４７】
（Ｓ３０５）通常アクセスポイントを発見する場合、その通常アクセスポイントが用いる周波数に設定する。
（Ｓ３０６）そして、端末１は、通常アクセスポイント２から送信されるビーコン信号を、一定時間、傾聴する。
（Ｓ３０７）通常アクセスポイント２は、ＥＳＳＩＤを含むビーコン信号を定期的に送信している。端末１は、そのビーコン信号を受信する。
（Ｓ３０８）端末１は、ビーコン信号を受信すると、通常アクセスポイント２に対して接続シーケンスを処理する。
【００４８】
（Ｓ３０９）ステルスアクセスポイントを発見する場合、そのステルスアクセスポイントが用いる周波数に設定し、ＥＳＳＩＤ及びＷＥＰを特定する。
（Ｓ３１０）端末１は、そのＥＳＳＩＤを含むプローブ要求を、ステルスアクセスポイント２へ送信する。
（Ｓ３１１）ステルスアクセスポイント２は、プローブ要求に含まれるＥＳＳＩＤが、自己のＥＳＳＩＤと一致するか否かを判定する。
（Ｓ３１２）一致する場合、ステルスアクセスポイント２は、プローブ応答を端末１へ返信する。
（Ｓ３１３）端末１は、プローブ応答を受信すると、ステルスアクセスポイント２に対して接続シーケンスを処理する。
【００４９】
以上、前述したように、本発明の端末、プログラム及びアクセスポイント発見方法によれば、ステルスアクセスポイントを発見する際に、登録された全てのＥＳＳＩＤに対してプローブ要求を送信することがなくなる。従って、端末は、ステルスアクセスポイントを発見するためのプローブ要求の送信回数を大幅に減少させることができ、ネットワークの無線リソースと、端末の消費電力とを共に減少させることができる。
【００５０】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００５１】
【図１】従来技術における端末とアクセスポイントとの間のシーケンスを表すシステム構成図である。
【図２】本発明におけるシステム構成図である。
【図３】本発明におけるシーケンス図である。
【符号の説明】
【００５２】
１  端末
１０１  ビーコン信号検出部
１０２  アクセスポイント発見制御部
１０３  アクセスポイント情報蓄積部
１０４  測位部
１０５  プローブ要求送信部
１０６  アクセスポイント接続処理部
１０７  周辺アクセスポイント情報受信部
２  アクセスポイント
２０１  プローブ要求受信部
２０２  ＥＳＳＩＤ判定部
２０３  プローブ応答送信部
２０４  端末接続処理部
３  放送局、セルラ基地局
【図１】
2007274252.tif 000004
【図２】
2007274252.tif 000005
【図３】
2007274252.tif 000006